(57)【要約】      （修正有）【課題】給湯機本体およびリモコンの制御部に組み込まれたソフトウェアのバージョンを正確に把握することができる給湯機を提供する。【解決手段】給湯機本体１０と、該給湯機本体を操作するリモコン１、２とを備え、前記給湯機本体及びリモコンは、ソフトウェアが組み込まれた制御部３をそれぞれ有し、前記リモコンは、前記各制御部に関する情報を表示する表示部１２、３２を備え、前記表示部には、前記各制御部に組み込まれたソフトウェアのバージョンを同時に並べて表示可能に構成される。【選択図】図４
2012047343.tif 000002
【特許請求の範囲】
【請求項１】
給湯機本体と、該給湯機本体を操作するリモコンとを備え、
前記給湯機本体及びリモコンは、ソフトウェアが組み込まれた制御部をそれぞれ有し、
前記リモコンは、前記各制御部に関する情報を表示する表示部を備え、
前記表示部には、前記各制御部に組み込まれたソフトウェアのバージョンを同時に並べて表示可能に構成されることを特徴とする給湯機。
【請求項２】
請求項１に記載の電気給湯機において、
前記給湯機本体に対して複数のリモコンが設けられ、
前記表示部には、該表示部を備えるリモコン以外のリモコンが有する制御部のソフトウェアのバージョンをさらに表示可能に構成されることを特徴とする給湯機。
【発明の詳細な説明】
【技術分野】
【０００１】
本発明は、給湯機に関する。
【背景技術】
【０００２】
給湯機は、一般的に、給湯機本体と、該給湯機本体を操作するリモコンとを備える。そして、給湯機本体およびリモコンは、ソフトウェアが組み込まれた制御部をそれぞれ有する。
【０００３】
ユーザは、リモコンから沸き上げ動作，ふろ機能等の行いたい動作を選択し、設定する。リモコンで設定した内容は、給湯機本体の制御部に送られる。設定内容を受け取った給湯機本体の制御部は、その設定と各種センサの検出結果とに基づいて給湯に関する動作（例えば、ヒートポンプユニット，ポンプ等の駆動等）を制御する。
【０００４】
従来、制御部のソフトウェアのバージョンを確認する方法として、リモコンの制御部であればテストプログラムを起動させ、リモコンの表示部にテストプログラムを起動させたリモコンのソフトウェアバージョンを表示する方法等がある。一方、給湯機本体のソフトウェアのバージョンは制御部にソフトウェアのバージョンを明記したシールを貼り、それを確認することでソフトウェアのバージョンを判断していた。
【０００５】
しかし、給湯機本体の制御部は給湯機本体内に取り付けられており、ソフトウェアのバージョンを確認するためには給湯機本体を制御部が確認できる状態まで解体しなくてはならない。また、バージョンを示すシールの貼り間違いがある可能性もある。そのため、従来の方法では、給湯機本体のソフトウェアのバージョンを確認する上での不都合があった。
【０００６】
具体的に説明すると、給湯機本体の制御部のソフトウェアもリモコンの制御部のソフトウェアも日々改善されており、同じ製品であってもソフトウェアのバージョンが異なる場合がある。そのため、メンテナンスを行う者や給湯機のテストを行う者等が、設置された給湯機の動作を確認する際に、給湯機本体の制御部のソフトウェアのバージョンとリモコンのソフトウェアのバージョンを正しく知ることができないと、メンテナンスやテストを行う上で不都合があった。
【０００７】
このような問題に対し、給湯機本体のソフトウェアのバージョンをリモコンの表示部に表示することで、給湯機本体を制御部が確認できる状態まで解体しなくても、ソフトウェアのバージョンを知ることを可能とした給湯機が提案されている（例えば、特許文献１）。
【先行技術文献】
【特許文献】
【０００８】
【特許文献１】特許第２７６８６０４号公報
【発明の概要】
【発明が解決しようとする課題】
【０００９】
しかしながら、上記従来の給湯機では、前記給湯機本体およびリモコンの制御部に組み込まれたソフトウェアのバージョンを順次表示するようになっている。
【００１０】
このため、メンテナンスを行う者や給湯機のテストを行う者は、表示されているバージョンがどの制御部のソフトウェアのものであるのかが分かりにくいといった点や、バージョンが表示されている制御部以外の制御部のバージョンを記憶しておかなければならないという点で、使い勝手に優れたものではなかった。
【００１１】
そこで、本発明は、給湯機本体およびリモコンの制御部に組み込まれたソフトウェアのバージョンを正確に把握することができる給湯機を提供することを目的とする。
【課題を解決するための手段】
【００１２】
本発明は、給湯機本体と、該給湯機本体を操作するリモコンとを備え、前記給湯機本体及びリモコンは、ソフトウェアが組み込まれた制御部をそれぞれ有し、前記リモコンは、前記各制御部に関する情報を表示する表示部を備え、前記表示部には、前記各制御部に組み込まれたソフトウェアのバージョンを同時に並べて表示可能に構成されることを特徴とする。
【発明の効果】
【００１３】
本発明によれば、給湯機本体およびリモコンの制御部に組み込まれたソフトウェアのバージョンを正確に把握することができる。
【図面の簡単な説明】
【００１４】
【図１】第１実施形態に係る給湯機の構成図である。
【図２】第１実施形態に係る給湯機のリモコンの正面図である。
【図３】第１実施形態に係る給湯機の他のリモコンの正面図である。
【図４】第１実施形態に係る給湯機の表示部にバージョンを表示した状態を示す図である。
【図５】第１実施形態に係る給湯機の表示部にメニュー画面を表示した状態を示す図である。
【発明を実施するための形態】
【００１５】
以下、本発明の実施形態について説明する。
【００１６】
＜給湯機の構成＞
本実施形態に係る給湯機は、給水源から供給された清水を貯蔵するための貯湯タンク５を収容する給湯機本体１０と、貯湯タンク５に貯蔵された清水を加熱してお湯を生成するヒートポンプユニット４とを備える。また、これら貯湯タンク５およびヒートポンプユニット４と給湯端末等とを接続し、清水またはお湯が流通可能な回路を備えるとともに、回路上に設けられたポンプ９、各種センサ（例えば貯湯タンク内の水温を検出する温度センサ，浴槽に張られたお湯の水位を検出する水位センサ等）を備える。
【００１７】
給湯機本体１０の制御部３はリモコン１，リモコン２と通信可能に接続されており、リモコン１またはリモコン２から出力された設定と各種センサの検出結果とに基づいて、ヒートポンプユニット４，ポンプ９等の駆動を制御する。
【００１８】
ヒートポンプユニット４は電気を間接的に用いて熱を生成する熱源であり、貯湯タンク５に貯蔵された清水は、ヒートポンプユニット４によって生成された熱と熱交換することによって加熱されてお湯となる。なお、熱源は、前記したヒートポンプユニット４に限定されず、電気を用いて熱を生成するヒータが貯湯タンク５内に配置される構成であっても良い。
【００１９】
ユーザが給湯機本体１０を操作する際には、リモコン１またはリモコン２から使用する動作を選択し、決定する。例えば、台所リモコンからの操作について説明する。ふろ自動キー１３，追いだきキー１４，タンク沸き増しキー１５，給湯温度下キー２８からおしえてキー３１まではリモコン前面に設置し、ふろ予約キー１６から時刻設定キー２７までは扉内に設置する。
【００２０】
「ふろ自動」や「追いだき」など、日常的に頻繁に使われる機能は前面に設置することで扉の開閉を行う必要もなく、簡単に設定することができる。（図２：台所リモコン、図３；ふろリモコン参照）また、「時計設定」のように日常的にあまり使わない機能に関するキーは扉内に設置することで、誤って触ってしまうこともなく、外観もすっきりした印象を与えられる。
【００２１】
設定した内容は、リモコン１または２の表示部１２または３２に表示され、ユーザは「給湯設定温度」や「ふろ設定温度」などの設定内容を確認することができる。
【００２２】
＜動作例＞
一般ユーザが日常、ソフトウェアのバージョンを表示する必要性は低いため、ふろ自動キー１３のように、リモコンの前面に設置しているキーおよび「ふろ予約設定」等を設定するメニュー画面（図５：メニュー画面参照）にソフトウェアのバージョンを表示する機能は入れる必要性は低い。例えば、あるキーとあるキーとを同時に押した場合や、パスワードを入力することでソフトウェアのバージョンを表示する画面を表示することができるようにすることで、ソフトウェアのバージョンを確認することが必要な者のみが扱えるようになる。よって、日常の使用の妨げにならずにソフトウェアのバージョンを確認する機能をもたせることができる。
【００２３】
このような、決められた手順を踏むことで、リモコン１または２の制御部のソフトウェアのバージョンと給湯機本体１０の制御部のソフトウェアのバージョンを表示する画面へと移行する。このように、給湯機本体１０のソフトウェアのバージョンをリモコン１または２の表示部１２または３２に表示することで、給湯機本体１０を制御部が確認できる状態まで解体しなくても、ソフトウェアのバージョンを知ることができる。
【００２４】
また、前記表示部１２または３２には、前記各制御部に組み込まれたソフトウェアのバージョンを同時に並べて表示される。従って、給湯機本体１０およびリモコン１または２の制御部に組み込まれたソフトウェアのバージョンを正確に把握することができる。具体的には、表示されているバージョンがどの制御部のソフトウェアのものであるのかを容易に判別することができる。また、現在バージョンが表示されている制御部以外の制御部のバージョンを記憶しておく必要がないため、バージョンの確認作業が容易である。
【００２５】
また、表示するソフトウェアのバージョンには機種別に割り当てられた機種コードを盛り込むことによって、給湯機本体１０の制御部３とリモコンとの組み合わせ間違いを発見し、ユーザが使用する前に組み合わせ間違いによる誤動作を防ぐことができる（図４：各制御部との接続とソフトウェアのバージョン表示画面参照）。
【００２６】
また、給湯機本体１０に対しては、複数のリモコン１，２が設けられている。この場合、例えば、表示部１２には、この表示部１２を備えるリモコン１（例えば、台所リモコン）以外のリモコン２（例えば、ふろリモコン）が有する制御部のソフトウェアのバージョンをさらに表示可能な構成であっても良い。このようにすれば、一つのリモコン１において給湯機本体１０だけでなく全てのリモコン１，２のバージョンを把握することができる。なお、リモコン１の表示部１２の中に全てのリモコン１，２のバージョンを表示しきれない場合には、適当なキーを操作して表示を送ることにより、画面に表示しきれなかったバージョンを表示させる方法が考えられる。
【００２７】
なお、本発明は上記実施形態に限定されるものではなく、発明の趣旨を逸脱しない範囲内で種々の変更が可能である。例えば、上記実施形態においては、ヒートポンプ給湯機を例に説明したが、本発明は、ヒータを用いた電気温水器にも適用することができ、これらのような電気給湯機ではなく、ガス給湯機にも適用することができる。
【符号の説明】
【００２８】
１，２  リモコン
３  制御部
１０  給湯機本体
【図１】
2012047343.tif 000003
【図２】
2012047343.tif 000004
【図３】
2012047343.tif 000005
【図４】
2012047343.tif 000006
【図５】
2012047343.tif 000007